(57)【要約】【課題】ビルやマンションの貯水槽（高置水槽）に貯留される水道水の残留塩素濃度を維持する装置のコンパクト化と据付・維持管理の容易化を図る。【解決手段】塩素イオンを含む水道水を電気分解して塩素を発生させる電解槽５と、貯水槽１に貯留された水道水を電解槽５を通して循環させる循環ポンプ６と、貯水槽１内の水道水の残留塩素濃度を検出する残留塩素センサ７とを備え、残留塩素センサ７からの信号に基づいて電解槽５及び循環ポンプ６を起動及び停止する残留塩素濃度維持装置において、残留塩素センサ７を電解槽５及び循環ポンプ６を設置した筐体１０の扉１０ｂ内に収納する。残留塩素センサ７が電解槽５や循環ポンプ６などの機器と同一筐体内に一体化され、据付や配管が容易になるとともに据付スペースも縮小する。【選択図】        図１
2004283660.tif 000002
【特許請求の範囲】
【請求項１】
塩素イオンを含む水道水を電気分解して塩素を発生させる電解槽と、貯水槽に貯留された水道水を前記電解槽を通して循環させる循環ポンプと、前記貯水槽内の水道水の残留塩素濃度を検出する残留塩素センサとを備え、この残留塩素センサからの信号に基づいて前記電解槽及び循環ポンプを起動及び停止し、前記貯水槽に貯留された水道水の残留塩素濃度を一定範囲に維持する残留塩素濃度維持装置において、
前記残留塩素センサを前記電解槽及び循環ポンプを設置した筐体の扉内に収納したことを特徴とする残留塩素濃度維持装置。
【請求項２】
前記残留塩素センサを前記扉に脱着自在に装着したことを特徴とする請求項１記載の残留塩素濃度維持装置。
【発明の詳細な説明】
【０００１】
【発明の属する技術分野】
この発明は、ビルやマンションなどの貯水槽に貯留される水道水の残留塩素濃度を維持する装置に関する。
【０００２】
【従来の技術】
一般にビルやマンションなどでは、地上の受水槽で受水した水道水を屋上の貯水槽（高置水槽）にポンプアップし、この貯水槽から各蛇口に水を供給するようにしている。一方、水道法では、水道の蛇口での残留塩素濃度は０．１ｍｇ／Ｌ以上と定めているが、安全な水質を維持するためには０．３〜０．５ｍｇ／Ｌの残留塩素濃度が必要であるとされている。ところが、高置水槽内の水道水は滞留中に塩素が抜けるという問題があり、特に夏場のように高温で紫外線をたくさん浴びる状況下や、休日や帰省などで使用水量が落ちて水の滞留時間が長くなる場合には残留塩素濃度が著しく低下する。
【０００３】
そこで、貯水槽内の水を電気分解して残留塩素濃度の低下を補う残留塩素濃度維持装置が開発されており、例えば特許文献１に記載されている。これは、貯水槽内の水の残留塩素濃度を計測し、この計測値が所定値よりも低下すると、貯水槽内の水を電解槽を通して循環させながら電気分解し、水中の塩素イオンから有効塩素である次亜塩素酸を発生させて、残留塩素濃度を適性値にまで回復させるものである。
【０００４】
図３は、このような残留塩素濃度維持装置を有する貯水槽の従来構成を示す概略図である。図３において、１はビルの屋上などに設置される貯水槽で、地上に設置された図示しない受水槽から図示しないポンプにより押し上げられた水道水が貯留されている。貯水槽１内の水は給水口２から各階の蛇口に給水され、水位が下がると図示しない水位センサの信号により補給口３から補給されて一定の水位が維持されている。この貯水槽１内の水は塩素で殺菌されているが、すでに述べたように滞留時間の経過とともに次第に塩素が抜け雑菌が繁殖しやすくなる。そのため、貯水槽１と並べて、残留塩素濃度の維持を図る残留塩素濃度維持装置４が設置されている。貯水槽１の水道水は残留塩素濃度維持装置４を通して循環することにより、残留塩素濃度の維持が図られている。
【０００５】
残留塩素濃度維持装置４は、水道水を電気分解して塩素イオンから次亜塩素酸を発生させる電解槽５と、貯水槽１内の水道水を電解槽５を通して循環させる循環ポンプ６と、貯水槽１内の水道水の残留塩素濃度を計測する残留塩素センサ７とを備えている。残留塩素センサ７は、抽水ポンプ８により貯水槽１から常時排出される微量の水の残留塩素濃度を継続的に計測し、制御部９に計測値を出力している。そこで、制御部９は、計測された残留塩素濃度が所定値より低下すると、電解槽１及び循環ポンプ６を起動し、貯水槽１内の水を電気分解して塩素イオンから次亜塩素酸を生じさせる。
【０００６】
【特許文献１】
特開２００２−１５３８７７号公報
【０００７】
【発明が解決しようとする課題】
図３に示した従来技術においては、電解槽５、循環ポンプ６、制御部９は箱形の筐体１０内に設置され、残留塩素センサ７は抽水ポンプ８とともに筐体１０と離して設置されている。そのため、従来は残留塩素センサ７の据付や配管が筐体１０と別途になり、作業に手間がかかるとともに据付スペースが増え、また水漏れなどのトラブルの際の対応が面倒であるという問題があった。
【０００８】
この発明は、このような従来の問題に対処し、コンパクトで据付や維持管理が容易な残留塩素濃度維持装置を構成することを課題とするものである。
【０００９】
【課題を解決するための手段】
上記課題を解決するために、この発明は、塩素イオンを含む水道水を電気分解して塩素を発生させる電解槽と、貯水槽に貯留された水道水を前記電解槽を通して循環させる循環ポンプと、前記貯水槽内の水道水の残留塩素濃度を検出する残留塩素センサとを備え、この残留塩素センサからの信号に基づいて前記電解槽及び循環ポンプを起動及び停止し、前記貯水槽に貯留された水道水の残留塩素濃度を一定範囲に維持する残留塩素濃度維持装置において、前記残留塩素センサを前記電解槽及び循環ポンプを設置した筐体の扉内に収納するものとする（請求項１）。
【００１０】
この請求項１の発明によれば、残留塩素センサは筐体内に納められるため、電解槽や循環ポンプなどの他の機器と一体化され、据付や配管が容易になるとともに、据付スペースも小さくなる。その場合、残留塩素センサは筐体の扉内に収納されるため、筐体内の従来の機器配置に影響を与えることが少ない。
【００１１】
請求項１において、前記残留塩素センサは前記扉に脱着自在に装着するのがよく、これにより残留塩素センサを扉から簡単に取り外して、清掃などの保守点検作業を容易に行なうことができる（請求項２）。
【００１２】
【発明の実施の形態】
図１及び図２は、この発明の実施の形態を示すものである。ここで、図１は残留塩素濃度維持装置のシステム構成図、図２は残留塩素濃度維持装置の扉を開いた状態の斜視図である。まず、図１において、貯水槽１の水道水は、止水弁１１、ストレーナ１２、漏水検知バルブ１３を経て循環ポンプ６により吸引され、流量制御弁１４を通して電解槽５に供給される。電解槽５で塩素イオンが塩素に変換された水道水は、逆止弁１５、止水弁１６を経て貯水槽１に還流する。
【００１３】
一方、循環ポンプ６の吐出側は流量調整弁１４の手前で分岐され、貯水槽１の水道水は手動止め弁１７、逆止弁１８を介して抽水ポンプ８により吸引され、残留塩素センサ７に供給される。抽水ポンプ８は常時、数ｍＬ程度の微量の水を残留塩素センサ７に流し、残留塩素センサ７はこの水で計測した残留塩素濃度を操作部１９を介して制御部９に出力する。残留塩素センサ７を通過した水は排水口に排水される。制御部９は残留塩素センサ７の計測値を常時監視し、残留塩素濃度が下限値（例えば０．３ｍｇ／Ｌ）に低下すると電解槽５及び循環ポンプ６を起動し、残留塩素濃度が上限値（例えば０．５ｍｇ／Ｌ）に上昇すると電解槽５及び循環ポンプ６を停止させる。これにより、貯水槽１の水道水の残留塩素濃度は一定範囲に維持される。なお、残留塩素センサ７の操作部１９は、上記上・下限値や計測スキャン幅の設定、計測値の表示などを行なうものである。
【００１４】
図２において、残留塩素濃度維持装置４の筐体１０は、前面が開口した本体１０ａとその前面開口を閉塞する扉１０ｂとからなり、扉１０ｂは左右２箇所のばね式の締め金２０により、本体１０ａに脱着されるようになっている。しかして、電解槽５、循環ポンプ６等は本体１０ａ内に設置され、残留塩素センサ７、抽水ポンプ８、手動止め弁１７、逆止弁１８、操作部１９は扉１０ｂ内に収納されている。残留塩素センサ７、抽水ポンプ８、手動止め弁１７、逆止弁１８は取付板２１を介してねじ２２により扉１０ｂに取り付けられ、保守点検時にはねじ２２を緩めることにより容易に脱着可能となっている。
【００１５】
図２に水の流れを矢印で示す。本体１０ａ内において、止水弁１１から入った貯水槽の水はストレーナ１２（図１参照、図２では見えない）、漏水検知バルブ１３を経て循環ポンプ６に入り、２つに分れて電解槽５に送られる。電解槽５から２つに分れて出た水は再び１つになり、図２では見えない逆止弁１５を経て止水弁１６から貯水槽に戻される。一方、流量調整弁１４の手前で抜き取られた微量の水はホース２３（途中は一点鎖線で示す）を通して扉１０ｂ側に送られ、手動止め弁１７、逆止弁１８を経てホース２４を通して抽水ポンプ８に吸引される。抽水ポンプ８から吐出された水はホース２５を通して残留塩素センサ７に送られ、最終的にホース２６を通して排水口２７に排水される。なお、手動止め弁１７は、保守点検の際に水を遮断するために設けられている。
【００１６】
【発明の効果】
以上の通り、この発明によれば、残留塩素センサを筐体の扉内に収納することにより、残留塩素濃度維持装置が１つの筐体内に一体化され、残留塩素センサが別置された従来装置に比べて据付スペースが縮小するとともに現地配管が減少し、装置の据付・配管作業が簡易になる。また、機内を一望すればすべてに目に入るので、水漏れなどのトラブルへの対応も容易になる。更に、筐体の扉は従来は機器の配置には無用であったため、残留塩素センサを収納するには扉の厚さを変えるだけで済み、本体内の機器配置にほとんど影響を与えない。
【図面の簡単な説明】
【図１】この発明の実施の形態を示すシステム構成図である。
【図２】図１における残留塩素維持装置の扉を開けた状態の斜視図である。
【図３】従来装置を示すシステム構成図である。
【符号の説明】
１    貯水槽
４    残留塩素濃度維持装置
５    電解槽
６    循環ポンプ
７    残留塩素センサ
１０    筐体
１０ｂ  筐体の扉
１１    止水弁
１６    止水弁
１７    手動止め弁
１８    逆止弁
【図１】
2004283660.tif 000003
【図２】
2004283660.tif 000004
【図３】
2004283660.tif 000005